(57)【要約】【課題】幕やシートを張る際に、針と座金とを別々に付帯するカートリッジに内蔵され、連動するハンマーにより画鋲を組み立て、打ち出すことができる画鋲組立式打ち出し固着具を提供すること。【解決手段】幕やシートを張る際に画鋲を組み立て、打ち出すことの可能な画鋲組立式打ち出し固着具Aであって、ケース１中央部に棒バネ１２を位置し、付帯するハンマー１３を内臓されたケース１と、棒バネ１２に付帯したハンマー１３を引き上げるためのケース１上部に設けられた握りハンドル戻り用バネ１６を備えた握りハンドル２と、ケース１上部に脱着可能に設けられた座金カートリッジ３と、ケース１基底部に針カートリッジ２２を内臓できる針カートリッジテーブル１７とを備え、握りハンドル２を握った状態で、ケース１基底部後方のぜんまいバネ１４の巻き戻る力で座金シート４と針カートリッジ２２が任意の位置に移動し、画鋲を組み立て、打ち出ことができる。  【選択図】図１
2005212329.tif 000002
【特許請求の範囲】
【請求項１】
作業するにあたり、１箇ずつ打ち出す度に針と座金とを組み立てることにより、固着具本体のコンパクト化を計ることのできることを特徴とする画鋲組立式打ち出し固着具。
【請求項２】
前記固着具は、工作用ホッチキス（タッカー）のように複数の画鋲を打ち出すことができ、作業効率のよいことを備えたことを特徴とする請求項１に記載の画鋲組立式打ち出し固着具。
【請求項３】
前記固着具は、針と座金とを別々に付帯するカートリッジに内蔵され、交換時はカートリッジ交換をするだけで詰め替え作業をすることなく、作業の効率を計ることのできるように構成したことを特徴とする請求項１又は２に記載の画鋲組立式打ち出し固着具。
【請求項４】
前記固着具は、ぜんまいバネの巻き戻りの力を利用することにより、ギヤ機構を作動させ、更に、モーター等の電動具を使用せず軽量化を計り、針と座金を任意の位置に移動させ、画鋲の打ち出すことのできる機構の部材を備えたことを特徴とする請求項１〜３のいずれかの１項に記載の画鋲組立式打ち出し固着具。
【請求項５】
前記固着具の組み立て後の画鋲の針頭部にカバー材のリボンが付帯し、抜き取る時に容易に抜き取り作業のできるよう構成したことを特徴とする請求項１〜４のいずれかの１項に記載の画鋲組立式打ち出し固着具。
【発明の詳細な説明】
【技術分野】
【０００１】
本発明は、作業時に画鋲を組み立てながら、送出するこのできるカートリッジタイプの画鋲組立式打ち出し固着具に関するものである。
【背景技術】
【０００２】
祭事や展示等で幕やシートを張る際、画鋲を数個手に取って１箇ずつ止める方法による作業を行うなどの非効率な面がある。また、ステープルを使用するタッカーガンにおいては、使用後にステープルを抜き取る際、幕やシートを傷め、再利用しにくいなど不経済な面がある。更にまた、前記タッカーガンのなかには、タッカーの固着部にモーター等の電動部が付帯され、ステープルを送出されるようになっているものもある。かかる問題点を解決するため、下記特許文献に開示されるタッカーが公知である。この画鋲組立式打ち出し固着具は、ケース本体の固着具に針と座金とを別々に付帯するカートリッジに内蔵され、ぜんまいバネの巻き戻りの力を利用することにより、ギヤ機構を作動させ針と座金を任意の位置に移動させ、ケース本体中央部に位置する棒バネと連動するハンマーにより画鋲を組み立て、更に、打ち出せるようになっている。
【特許文献１】特許第２６３１３４２号
【特許文献２】特開平０９−０７６１７１
【特許文献３】特開平１１−８７９
【特許文献４】特開平２００３−１３６４２７
【発明の開示】
【発明が解決しようとする課題】
【０００３】
上記先行技術における課題は、次の通りである。祭事や展示等で幕やシートを張る際、画鋲を数個手に取って１箇ずつ止めたり、高い位置での作業の際は、何度も台や梯子を登ったり降りたりしなければならなくて面倒である。また、タッカーガンで打ったステープルを抜き取る際、幕やシートを傷めたり、破ったりして再利用しにくいなど不経済な面がある。更にまた、タッカーガンのなかには、タッカーの固着部にモーター等の電動部が付帯されたものもあり、重くなり作業するにあたり疲れやすくなり面倒である。
【０００４】
本発明は上記実情に鑑みてなされたものであり、その課題は、幕やシートを張る際に、針と座金とを別々に付帯するカートリッジに内蔵され、連動するハンマーにより画鋲を組み立て、更に、打ち出すことができる画鋲組立式打ち出し固着具を提供することである。  
【課題を解決するための手段】
【０００５】
上記課題を解決するため本発明に係る画鋲組立式打ち出し固着具は、幕やシートを張る際に連動して画鋲を組み立て、更に、打ち出すことの可能な画鋲組立式打ち出し固着具であって、ケース中央部に棒バネを位置し、それに付帯するハンマーを内蔵されたケースと、棒バネに付帯したハンマーを引き上げるためのケース上部に設けられた握りハンドル戻り用バネを備えた握りハンドルと、このケース上部に着脱可能に設けられた座金カートリッジと、ケース基底部に針カートリッジを内蔵できる針カートリッジテーブルとを備え、握りハンドルを握った状態で、ケース基底部後方に位置するぜんまいバネの巻き戻る力で座金シートと針カートリッジが任意の位置に移動し、画鋲を組み立て、更に、打ち出されるように設定されていることを特徴とするものである。
【発明の効果】
【０００６】
この構成による画鋲組立式打ち出し固着具の作用・効果は、以下の通りである。
ケース中央部に棒バネを位置し、この棒バネの先端に上下方向の壁面に位置するハンマーを設け、これらを内蔵するケースと、棒バネに付帯したハンマーを引き上げるためのケース上部に設けられた握りハンドル戻り用バネを備えた握りハンドルが設けられている。したがって、握りハンドルを握ることにより、連動するハンマーを持ち上げ、任意の位置でハンマーに空けられたガイド穴から握りハンドルの先端の支持部がはずれ、棒バネの作用でハンマーを打ちおろすことができる。この時、握りハンドルは握りハンドル戻り用バネの作用で元の位置に戻ることができる。これらの一連の作業の時、同時に巻かれたぜんまいバネの巻き戻りの力により、ギヤ機構を作動させ、針カートリッジと座金カートリッジから針と座金をそれぞれ任意の位置に移動させ、画鋲を組み立て、更に、打ち出すことができる画鋲組立式打ち出し固着具を提供することができる。
【０００７】
本発明の好適な実施形態として、前記棒バネは、ケース中央部に配置され、ビスネジで強固に固定され、任意の位置で連結された前記ハンマーとを有するものをあげられる。
前記棒バネの作用上の支点を固着具の中央部に位置することにより、作業バランスもよく、ユニットやパーツを配置するにも効率的である。
【０００８】
本発明の別の好適な実施形態として、ケース上部に位置する握りハンドルは、ハンマーの任意の位置に空けられたガイド穴で連結され、前記握りハンドルを握ることにより、連動する前記ハンマーを持ち上げ、任意の位置で前記ガイド穴から前記握りハンドルの先端の支持部が任意の位置ではずれ、前記棒バネの戻る力で前記ハンマーを打ちおろすことができる。
【０００９】
本発明の更に別の実施形態として、ケース上部に脱着可能に設けられた座金カートリッジと、ケース基底部に内蔵された針カートリッジとが、ぜんまいバネの巻き戻りの力で、ぜんまいバネの近くに付帯するギヤ機構を作動させ座金と針を任意の位置に移動させ、打ちおろされた前記ハンマーにより、画鋲を組み立て、更に、打ち出せることができる。
【００１０】
上記課題を解決するため本発明に係る画鋲組立式打ち出し固着具は、本発明に係る針と座金を任意の位置に移動させるギヤ機構と、打ちおろされたハンマーにより、画鋲を組み立て、更に、打ち出せるように構成したことを特徴とするものである。
【発明を実施するための最良の形態】
【００１１】
本発明に係る画鋲組立式打ち出し固着具の好適な実施形態を図面を用いて説明する。図１は、画鋲組立式打ち出し固着具の外観斜視図を示す。
【００１２】
〈画鋲組立式打ち出し固着具の構成〉
図１は、側面から見た外観斜視図である。画鋲組立式打ち出し固着具の本体部は、ケース１により覆われている。このケース１は、例えば、上部ケース部材と下部ケース部材とに分けることができる。ケース１の上部には、座金シート４がロール状に内蔵された座金カートリッジ３をケース１に保持用ガイド溝５−bを設け、固定用ストッパー５−aで固定されるように構成されている。ケース１の下部には、針カートリッジを内蔵された針カートリッジ挿入用カバー１１を設け、正面上部にある座金シート吐き出し口７−aから座金シート４を吐き出し、正面下部にある座金シート取り入れ口７−bで座金シート４を取り入れるように配置され、ケース１の基底部の奥にあるぜんまいバネ巻きネジハンドル１０でぜんまいバネを巻き、そのぜんまいバネの巻き戻りの力で作動できるように構成されている。また、使用しない待機時はハンドルストッパー６で握りハンドル２を固定し、コンパクトに収納できる外形形状としている。    
【００１３】
〈作動図〉
図２は、画鋲組立式打ち出し固着具の作動を示す図である。画鋲組立式打ち出し固着具は、ケース１に内蔵された本体中央部に位置する棒バネ１２、それに付帯するハンマー１３と、握ることによりハンマー１３を連動させることのできる握りハンドル２と、ぜんまいバネ１４の巻き戻りの力で作動することのできる座金シート４内蔵の座金カートリッジ３と針カートリッジ２２内蔵の針カートリッジテーブル１７とにより構成されており、図２において作動時と待機時の作動手順を説明する。
作動時において、握りハンドル２を握ることにより連動するハンマー１３が持ち上げられ、それに伴ない棒バネ１２が反る。その際、巻かれたぜんまいバネ１４の巻き戻りの力で、座金カートリッジ３から座金シート４と、針カートリッジテーブル１７から針カートリッジ２２を画鋲吐き出し口２０の位置まで移動させる。その後、握りハンドル２を握りつづけることにより握りハンドル２の先端の支持部が、ハンマーに空けられたガイド穴から外れ、反った棒バネ１２の反発力でハンマー１３が打ちおろされ、座金（２４）と針（２８）を組み立て、更に、打ち出す。その時、座金シート４から座金（２４）を取り除かれたシートは、座金シート吐き出し口１９から吐き出される。この時、握りハンドル戻り用バネ１６が作用し、握りハンドル２を元の位置に戻します。（図２には（２４）（２８）は不図示）。
次に待機時において、握りハンドル２を握り、ハンドルストッパー６で固定する。この時、連動するハンマー１３は持ち上げられ、ガイド穴から握りハンドル２が外れて、コンパクトに固定される。
【００１４】
〈座金カートリッジ及び針カートリッジの作動図〉
図３、図４は、座金カートリッジ、針カートリッジの作動を示す図である。座金カートリッジ３にロール状に内蔵された座金シート４をぜんまいバネの巻き戻りの力で座金シート吐き出し口７−aより引き出すことができる。また、針カートリッジケース２１に内臓された座金シート４をぜんまいバネの巻き戻りの力でぜんまい連動ギヤ（２６）や送りギヤ（２５）や針カートリッジ送りガイドベルト用ギヤ１５を作動させることにより針カートリッジ送りガイドベルト２７を連動させて画鋲吐き出し口（２０）の位置まで移動させることができる（図３、図４には（２０）（２５）（２６）は不図示）。
【００１５】
〈本実施形態に係る作用図〉
図５は本実施形態に係る作用を示す図である。
任意の位置に移動された針カートリッジ（２２）の針保護シート２３つきの針２８と、前記針２８と同様の任意の位置に移動された座金カートリッジ（３）の座金２４とが打ちおろされたハンマーで組み立て、更に、打ち出される（図５には、（３）（２２）は不図示）。
【００１６】
〈本実施形態に係るシステム図〉
図６は、本実施形態に係るシステムを示す図である。
画鋲組立式打ち出し固着具の本実施形態に係るシステムを更に具体的に図６を用いて説明する。
握りハンドルに連動（２）してせり上がったハンマー１３が打ちおろされる際、巻かれたぜんまいバネ１４の巻き戻りの力でぜんまいバネ連動ギヤ２６や送りギヤ２５や針カートリッジ送りガイドベルト用ギヤ１５が連動し、針カートリッジ送りガイドベルト２７を作動させ、針カートリッジ（２２）をハンマー１３の打ちおろし位置に移動させることができ、同時に座金シート（４）を前記位置に移動させることができる（図６には、（２）（４）（２２）は不図示）。
【００１７】
〈別実施形態〉
座金部材の材質については、特定の材質に限定されるものではなく、何でも良い。座金シートを座金カートリッジにロール状に収納される際、リボン状の紙や樹脂リボンに座金を均等に付帯し、容易に収納及び作業ができる構造が好ましい。
握りハンドルを含め、本体の作業条件に対応できるように構成されておけばよいので合成樹脂により形成されるものに限定されるものではない。
本発明は、本明細書で開示した実施形態以外の形態で実施することはもちろん可能であり、座金や針の大きさや形状、更に、ハンマーの打ちおろしの位置を任意の位置に適宜設計変更可能orできる。
【産業上の利用可能性】
【００１８】
祭事や展示等で幕やシートを張る際、高い位置での作業に、何度も台や梯子を登ったり降りたりしなくてよく、効率よく、便利である。また、画鋲を抜き取る際、画鋲に抜き取り用のリボンが付いており、抜き取りやすく、しかも、ステープルの使用時と違い、穴も１つだけなので、幕やシートにも傷つけることが少なく、再利用しやすくいように配慮している。
【図面の簡単な説明】
【００１９】
【図１】画鋲組立式打ち出し固着具の外観斜視図
【図２】画鋲組立式打ち出し固着具の作動図
【図３】座金カートリッジの作動図
【図４】針カートリッジの作動図
【図５】本実施形態にかかる作用図
【図６】本実施形態にかかるシステム図
【符号の説明】
【００２０】
１    ケース  
２    握りハンドル
３    座金カートリッジ
４    座金シート
５−a 固定用ストッパー
５−b 保持用ガイド溝
６    ハンドルストッパー
７−a座金シート吐き出し口
７−b座金シート取り入れ口
８    バネ固定ネジ
９    ケース止めネジ
１０    ぜんまいバネ巻きネジハンドル
１１    針カートリッジ挿入用カバー
１２    棒バネ
１３    ハンマー
１４    ぜんまいバネ
１５    針カートリッジ送りガイドベルト用ギヤ
１６    握りハンドル戻り用バネ
１７    針カートリッジテーブル
１８    座金シート回収用テーブル
１９    座金シート吐き出し口
２０    画鋲吐き出し口
２１    針カートリッジケース
２２    針カートリッジ
２３    針保護シート
２４    座金
２５    送りギヤ
２６    ぜんまいバネ連動ギヤ
２７    針カートリッジ送りガイドベルト
２８    針        
A      画鋲組立式打ち出し固着具
【図１】
2005212329.tif 000003
【図２】
2005212329.tif 000004
【図３】
2005212329.tif 000005
【図４】
2005212329.tif 000006
【図５】
2005212329.tif 000007
【図６】
2005212329.tif 000008
【手続補正書】
【提出日】平成16年3月12日(2004.3.12)
【手続補正１】
【補正対象書類名】明細書
【補正対象項目名】０００２
【補正方法】変更
【補正の内容】
【０００２】
祭事や展示等で幕やシートを張る際、画鋲を数個手に取って１箇ずつ止める方法による作業を行うなどの非効率な面がある。また、ス  テープルを使用するタッカーガンにおいては、使用後にステープルを抜き取る際、幕やシートを傷め、再利用しにくいなど不経済な面がある。更にまた、前記タッカーガンのなかには、タッカーの固着部にモーター等の電動部が付帯され、ステープルを送出されるようになっているものもある。かかる問題点を解決するため、下記特許文献に開示されるタッカーが公知である。この画鋲組立式打ち出し固着具は、ケース本体の固着具に針と座金とを別々に付帯するカートリッジに内蔵され、ぜんまいバネの巻き戻りの力を利用することにより、ギヤ機構を作動させ針と座金を任意の位置に移動させ、ケース本体中央部に位置する棒バネと連動するハンマーにより画鋲を組み立て、更に、打ち出せるようになっている。
【特許文献１】特許第２６３１３４２号
【特許文献２】特開平０９−０７６１７１
【特許文献３】特開平１１−８７９
【特許文献４】特開２００３−１３６４２７
【手続補正２】
【補正対象書類名】明細書
【補正対象項目名】０００９
【補正方法】変更
【補正の内容】
【０００９】
本発明の更に別の好適な実施形態として、ケース上部に脱着可能に設けられた座金カートリッジと、ケース基底部に内蔵された針カートリッジとが、ぜんまいバネの巻き戻りの力で、ぜんまいバネの近くに付帯するギヤ機構を作動させ座金と針を任意の位置に移動させ、打ちおろされた前記ハンマーにより、画鋲を組み立て、更に、打ち出せることができる。
【手続補正３】
【補正対象書類名】明細書
【補正対象項目名】００１７
【補正方法】変更
【補正の内容】
【００１７】
〈別実施形態〉
座金部材の材質については、特定の材質に限定されるものではなく、何でも良い。座金シートを座金カートリッジにロール状に収納される際、リボン状の紙や樹脂リボンに座金を均等に付帯し、容易に収納及び作業ができる構造が好ましい。
握りハンドルを含め、本体の作業条件に対応できるように構成されておけばよいので合成樹脂により形成されるものに限定されるものではない。
本発明は、本明細書で開示した実施形態以外の形態で実施することはもちろん可能であり、座金や針の大きさや形状、更に、ハンマーの打ちおろしの位置を任意の位置に適宜設計変更可能にできる。